(57)【要約】【課題】  使用者が操作することにより、一度再生された情報の再生を省略して次の情報の再生を行う、という煩わしさをなくした情報再生装置を提供する。【解決手段】  ＤＶＤメディアＤＫに記録された複数のコンテンツを再生するＤＶＤ再生装置Ｐであって、既に再生されたコンテンツの再生を禁止するとともに、未再生の情報を選択して再生する未再生情報再生手段としてＣＰＵ１４を備えるＤＶＤ再生装置Ｐにより、上記課題を解決する。ＤＶＤ再生装置Ｐは、ＣＰＵ１４を未再生情報再生手段として機能させることを選択するために用いられる操作部１５をさらに備えていることが好ましい。【選択図】  図１
2007226850.tif 000002
【特許請求の範囲】
【請求項１】
記録媒体に記録された複数の情報を再生する情報再生装置であって、
既に再生された前記情報の再生を禁止するとともに、未再生の前記情報を選択して再生する未再生情報再生手段を備えることを特徴とする情報再生装置。
【請求項２】
前記未再生情報再生手段を機能させることを選択するために用いられる操作手段を備えたことを特徴とする請求項１に記載の情報再生装置。
【請求項３】
前記記録媒体には、各前記情報を再生する順序を示す再生順序情報が記録されており、
再生された前記情報について再生された旨を再生履歴として記憶する記憶手段をさらに備え、
前記未再生情報再生手段は、前記再生順序情報に基づいて次に再生しようとする前記情報が既に再生された旨が前記再生履歴として記憶されている場合には当該情報の再生を禁止するとともに、未再生の前記情報から前記再生順序情報に従って選択される前記情報を再生することを特徴とする請求項１または請求項２に記載の情報再生装置。
【請求項４】
前記操作手段は、さらに、前記情報の優先順位を設定させるために用いられ、
前記未再生情報再生手段は、既に再生された前記情報の再生を禁止した後、前記優先順位に従って未再生の前記情報を選択して再生することを特徴とする請求項１乃至請求項３のいずれか一項に記載の情報再生装置。
【請求項５】
前記未再生情報再生手段により前記情報の再生が禁止された場合に、
前記情報の再生が禁止されたことを告知する告知手段を備えたことを特徴とする請求項１乃至請求項４のいずれか一項に記載の情報再生装置。
【請求項６】
記録媒体に記録された複数の情報を再生する情報再生方法であって、
既に再生された前記情報の再生を禁止する再生禁止工程と、
未再生の前記情報を選択して再生する未再生情報再生工程と、
を備えることを特徴とする情報再生方法。
【請求項７】
記録媒体に記録された複数の情報を再生する情報再生装置に含まれるコンピュータを、
既に再生された前記情報の再生を禁止するとともに、未再生の前記情報を選択して再生する未再生情報再生手段として機能させることを特徴とする情報再生プログラム。
【請求項８】
記録媒体に記録された複数の情報を再生する情報再生装置に含まれるコンピュータを、
既に再生された前記情報の再生を禁止するとともに、未再生の前記情報を選択して再生する未再生情報再生手段として機能させる情報再生プログラムを、
前記コンピュータで読み取り可能に記録したことを特徴とする情報記録媒体。
【発明の詳細な説明】
【技術分野】
【０００１】
本願は、記録されている情報を再生する情報再生装置、情報再生方法、情報再生プログラム並びに情報記録媒体に関する。
【背景技術】
【０００２】
従来より、ＤＶＤ（digital versatile disc）等の記録メディアの再生装置が開発されている。このような再生装置の例として、特許文献１に記載のように、ディスクに記録された多くのデータを再生しようとしたときに、使用者が再生順を選択するためのメニュー画面が現れるものが知られており、このメニュー画面を省略するディスク再生装置が提案されている。
【特許文献１】特開２０００−１５６０２３
【０００３】
また、記録メディアの再生装置においては、メニュー画面が表示されず、記録メディアの製作者により意図された通りに再生が行われるものも知られている。
【発明の開示】
【発明が解決しようとする課題】
【０００４】
しかしながら、記録メディアの製作者により意図された通りに再生が行われると、同じ情報が何度も再生されることもあるため、画像や音声が、記録メディアを再生する使用者に不自然に受け取られる場合があった。このような場合において、使用者は不要な部分、つまり一度再生された情報について、指示、操作することにより再生を省略して次の情報の再生を行っていた。
【０００５】
そこで、本願は、使用者が操作することにより、一度再生された情報の再生を省略して次の情報の再生を行う、という煩わしさをなくした情報再生装置、情報再生方法、これらの情報再生を行うために用いられるプログラムおよびこのプログラムが記録された記録媒体を提供することを課題の一例とする。
【課題を解決するための手段】
【０００６】
上記課題を解決するために、請求項１に記載の発明は、記録媒体に記録された複数の情報を再生する情報再生装置であって、既に再生された前記情報の再生を禁止するとともに、未再生の前記情報を選択して再生する未再生情報再生手段を備えることを特徴とする情報再生装置である。
【０００７】
上記課題を解決するために、請求項６に記載の発明は、記録媒体に記録された複数の情報を再生する情報再生方法であって、既に再生された前記情報の再生を禁止する再生禁止工程と、未再生の前記情報を選択して再生する未再生情報再生工程と、を備えることを特徴とする情報再生方法である。
【０００８】
上記課題を解決するために、請求項７に記載の発明は、記録媒体に記録された複数の情報を再生する情報再生装置に含まれるコンピュータを、既に再生された前記情報の再生を禁止するとともに、未再生の前記情報を選択して再生する未再生情報再生手段として機能させることを特徴とする情報再生プログラムである。
【０００９】
上記課題を解決するために、請求項８に記載の発明は、記録媒体に記録された複数の情報を再生する情報再生装置に含まれるコンピュータを、既に再生された前記情報の再生を禁止するとともに、未再生の前記情報を選択して再生する未再生情報再生手段として機能させる情報再生プログラムを、前記コンピュータで読み取り可能に記録したことを特徴とする情報記録媒体である。
【発明を実施するための最良の形態】
【００１０】
以下、図面を参照し、本願の実施形態について説明する。
【００１１】
本実施形態は、本願の情報再生装置としてＤＶＤ再生装置を用い、記録媒体としてＤＶＤメディアを用いた場合の実施形態である。また、本実施形態のＤＶＤメディアは、複数の画像情報および音声情報（以下、単に画像情報とも言う。）が記録されている。なお、係る実施形態は、本願を限定するものではなく、本願の技術思想の範囲内において任意に変更可能である。
【００１２】
本願に係る実施形態について、図１乃至図３を用いて説明する。
【００１３】
まず、図１は、本実施形態のＤＶＤ再生装置の概要構成を示すブロック図である。また、図２は、本実施形態のＤＶＤメディアに記録された情報の構成を示す図である。さらに、図３は、本実施形態のＤＶＤ再生方法のフローチャートを示す図である。
【００１４】
本実施形態のＤＶＤ再生装置の構成について、図１を用いて説明する。
【００１５】
図１に示すように、本実施形態に係るＤＶＤ再生装置Ｐは、ＤＶＤメディアＤＫが回転可能に固定されているスピンドルモータ１０と、ピックアップ１１と、増幅部１２と、復号部１３と、ＣＰＵ（central processing unit；中央演算処理装置）１４と、操作部１５と、ディスプレイ１６と、メモリ１７と、により構成されている。
【００１６】
なお、例えば、ＣＰＵ１４は、本願の未再生情報再生手段として機能し、操作部１５は、本願の操作手段として機能する。また、例えば、ディスプレイ１６は、本願の告知手段として機能し、メモリ１７は、本願の記憶手段として機能する。
【００１７】
この構成において、スピンドルモータ１０は、ＣＰＵ１４からのスピンドルサーボ制御信号Ｓcsにより示される回転数によりＤＶＤメディアＤＫを回転させる。このスピンドルモータ１０の回転数は、ピックアップ１１の位置により、少なくとも６８０〜１４００ｒｐｍ程度には変化できるようになっている。
【００１８】
そして、ピックアップ１１は、ＣＰＵ１４からのピックアップ制御信号Ｓcpに従い、情報再生用の一定強度の光ビームＢｍをＤＶＤメディアＤＫに照射し、ＤＶＤメディアＤＫからの光ビームＢｍの反射光に基づき、ＤＶＤメディアＤＫに記録されていた情報に対応する検出信号Ｓppを生成して増幅部１２へ出力する。
【００１９】
これにより、増幅部１２は、当該検出信号Ｓppを予め設定された増幅率により増幅し、増幅信号Ｓampとして復号部１３へ出力する。また、増幅部１２は、増幅信号Ｓampのうち、ＤＶＤメディアＤＫの情報を再生する順序を示す再生順序情報に係る信号の他、必要な情報に係る信号をＣＰＵ１４へ出力する。
【００２０】
そして、復号部１３は、ＣＰＵ１４からの制御信号Ｓdcに基づき、所定の場合には、増幅信号Ｓampに対して予め設定された復号処理を施し、画像情報Ｓpとして他の装置であるディスプレイ装置へ出力する。
【００２１】
ＣＰＵ１４は、増幅部１２から、増幅信号Ｓampのうち、ＤＶＤメディアＤＫの画像情報を再生する順序を示す再生順序情報に係る信号を取得する。そして、ＣＰＵ１４は、ＤＶＤメディアＤＫに記録されている情報のうち、既に再生された情報の再生を禁止するとともに、未再生の情報を選択し、選択された情報を再生する。
【００２２】
具体的に、ＣＰＵ１４は、メモリ１７からＤＶＤメディアＤＫの再生履歴の情報を示すメモリ信号Ｓmmを取得し、次に再生しようとする情報が、ＤＶＤメディアＤＫの再生履歴に含まれているか否かを判断する。そして、ＣＰＵ１４は、当該情報が再生履歴に含まれている場合には、当該情報の再生を禁止する。一方、ＣＰＵ１４は、当該情報が再生履歴に含まれていない場合には、当該情報を再生する。
【００２３】
ＣＰＵ１４は、画像情報の再生を禁止する場合には、複号部１３に制御信号Ｓdcを出力し、増幅信号Ｓampに対して復号処理を施さず、画像情報Ｓpをディスプレイ装置に出力させない。なお、このとき、未再生の情報から再生順序情報に従って選択される情報を再生するよう、復号部１３へ制御信号Ｓdcを出力する（以下、このようにＣＰＵ１４が再生を禁止するとともに、未再生の情報を選択して再生する機能を未再生情報再生機能という。）。情報を再生する場合には、複号部１３に制御信号Ｓdcを出力し、上述のように画像情報Ｓpをディスプレイ装置に出力させる。
【００２４】
また、ＣＰＵ１４は、既に再生された情報の再生を禁止した後、後述する操作部１５により設定された優先順位に従って未再生の情報を選択して再生する。
【００２５】
なお、ＣＰＵ１４は、ＤＶＤメディアＤＫの再生された画像情報Ｓpについて、再生された旨を再生履歴としてメモリ１７に記憶させる。
【００２６】
また、ＣＰＵ１４は、上記スピンドルモータ１０の回転数を制御すべく、ＤＶＤメディアＤＫの回転数を示すスピンドルサーボ制御信号Ｓcsをスピンドルモータ１０へ出力する。さらに、ＣＰＵ１４は、ピックアップ１１の光ビームＢｍの照射についてピックアップの１１の位置や光ビームＢｍの照射量等を制御すべく、ピックアップ制御信号Ｓcpをピックアップ１１へ出力する。
【００２７】
操作部１５は、上記各構成部材におけるＤＶＤ再生装置Ｐとしての動作を実行させるために使用者に用いられて操作され、当該操作部１５はその操作に対応する操作信号Ｓopを生成してＣＰＵ１４へ出力する。そして、ＣＰＵ１４は、当該操作信号Ｓopに基づいてＤＶＤ再生装置Ｐを構成する上記各構成部材を統括制御する。
【００２８】
また、操作部１５は、ＣＰＵ１４の未再生情報再生機能を機能させるか否かを選択するために用いられる。さらに、操作部１５は、ＤＶＤ再生装置Ｐの使用者が情報に優先順位を設定するために用いられる。
【００２９】
ディスプレイ１６は、例えば、液晶ディスプレイ等から構成され、ＣＰＵ１４から出力される表示信号Ｓdpに基づいて、当該ＤＶＤ再生装置Ｐとしての動作状態等を表示する。特に、ディスプレイ１６は、ＣＰＵ１４が再生を禁止した情報について、再生を禁止した旨を表示する。
【００３０】
メモリ１７は、ＤＶＤメディアＤＫの情報が再生された場合に、当該情報が再生された旨を再生履歴として記憶するとともに、ＣＰＵ１４が情報を再生する際に、ＤＶＤメディアＤＫの再生履歴の情報を示すメモリ信号ＳmmをＣＰＵ１４に送信する。
【００３１】
次いで、本実施形態に係るＤＶＤ再生装置Ｐにより再生される複数の情報が記録されたＤＶＤメディアＤＫについて、図２を用いて説明する。
【００３２】
図２（ａ）は、ＤＶＤメディアＤＫに記録されている情報のデータ構造を示す。図２（ｂ）は、ＤＶＤメディアＤＫに記録されている、情報であるコンテンツの総数、および、あるコンテンツの次に再生するコンテンツを示す再生順序情報、の具体例を示す。図２（ｃ）は、図２（ｂ）のＤＶＤメディアＤＫの再生順序情報に基づいてコンテンツを再生する順序を示す。
【００３３】
ＤＶＤメディアＤＫのデータ構造は、図２（ａ）上段に示すように、記録情報を読み始めるためのリードイン領域２１、管理情報領域２２、コンテンツＡ情報領域２３、コンテンツＢ情報領域２４、コンテンツＣ情報領域２５、コンテンツＤ情報領域２６、記録情報を読み終えるためのリードアウト領域２７、からなる。管理情報領域２２には、ディスク名の情報や、コンテンツの総数の情報、その他、著作権情報等が記録されていてもよい。
【００３４】
さらに、各コンテンツの情報領域２３、２４、２５、２６は、コンテンツＡを例に取り、図２（ａ）下段に示すように、コンテンツＡ情報領域２３の先頭側のリンク先情報領域２３１、その後のコンテンツＡ情報領域２３２、からなる。
【００３５】
図２（ｂ）に具体例を示すように、ＤＶＤメディアＤＫの管理情報領域２２には、ディスク名である「ＸＸＸ」の情報、コンテンツの総数である「全４コンテンツ」という情報、および各コンテンツの優先度の情報が記録されている。また、ＤＶＤメディアＤＫのリンク先情報領域２３１には、各コンテンツの再生終了後のリンク先の情報が記録されている。なお、コンテンツＡのリンク先はコンテンツＣであり、コンテンツＣのリンク先はコンテンツＡであり、コンテンツＢおよびコンテンツＤのリンク先は記録されていない。これらの情報のうち、コンテンツの総数、各コンテンツの優先度、各コンテンツの再生終了後のリンク先、の各情報が、再生順序情報として用いられる。
【００３６】
ここで、各コンテンツについて説明すると、例えば、ＤＶＤメディアＤＫが映画に関するものである場合に、コンテンツＡは、映画会社のロゴなどを示す宣伝用の画像情報であり、コンテンツＣは、映画の本編の映像を示す音声情報および画像情報であり、コンテンツＢおよびコンテンツＤは、映画の作製時の様子等を示す特典映像の音声情報および画像情報である。
【００３７】
図２（ｃ）を参照すると、このＤＶＤメディアＤＫが従来のＤＶＤ再生装置のＤＶＤ設置部に設置されると（１）、まず、コンテンツＡが再生される（２）。次いで、コンテンツＡ再生終了後のリンク先であるコンテンツＣを検索し（３）、コンテンツＣが再生される（４）。この後、通常は、コンテンツＣ再生終了後のリンク先であるコンテンツＡを検索し（５）、コンテンツＡが再生される（再度（２））。このように、通常の再生順序に従うと、コンテンツＡが重複して再生されることとなる。
【００３８】
一方、本実施形態のＤＶＤ再生装置Ｐにおいては、上述のＤＶＤディスクＤＫについて、後述するように動作がされるため、同じコンテンツが再度再生されることがなく、再度同じコンテンツを再生することを防止するための操作を使用者が行う必要がない。
【００３９】
次いで、上述したＤＶＤ再生装置Ｐにおいて実行される本願に係る動作について、図３を用いて説明する。
【００４０】
なお、図３は、ＤＶＤ再生装置において上述のＤＶＤメディアＤＫに記録された各コンテンツを再生する動作を示すフローチャートである。この処理は、図１に示すＤＶＤ再生装置Ｐにおいて、図２に示すＤＶＤメディアＤＫが設置された場合に当該ＤＶＤメディアＤＫに記録された音声情報および画像情報をディスプレイ装置で再生する際の実施形態である。本実施形態においては、後述するステップＳ３の処理において、ＤＶＤ再生装置Ｐの使用者が、ＤＶＤメディアＤＫの情報の優先順位をコンテンツＢ＞コンテンツＤ＞コンテンツＣ＞コンテンツＡ、と設定した場合について説明する。
【００４１】
まず、ＣＰＵ１４は、ＤＶＤメディアＤＫが所定のＤＶＤ設置部に設置されたことを認識する（ステップＳ１）。そして、ＣＰＵ１４は、未再生情報再生機能を選択するか否かをディスプレイ１６に表示することにより、使用者に選択させる（ステップＳ２）。
【００４２】
使用者が、操作部１５を用いて未再生情報再生機能を選択すると、ＣＰＵ１４は、未再生情報再生機能が選択された旨を認識する（ステップＳ２；ＹＥＳ）。次いで、使用者が、操作部１５を用いて各コンテンツに「コンテンツＢ＞コンテンツＤ＞コンテンツＣ＞コンテンツＡ」という優先順位を設定すると、ＣＰＵ１４は、当該優先順位を認識する（ステップＳ３）。そして、一番目のコンテンツＡを選択する（ステップＳ４）。次いで、ＣＰＵ１４は、指定されたコンテンツＡを再生し（ステップＳ５）、コンテンツＡが再生された旨を再生履歴に追加する（ステップＳ６）。コンテンツＡの再生が終了すると、ＣＰＵ１４は、コンテンツの総数と再生履歴に記録されたコンテンツとを比較して、全てのコンテンツが終了したか否かを判断する（ステップＳ７）。
【００４３】
このとき、ＤＶＤメディアＤＫにおいて、コンテンツＢ、Ｃ、Ｄが終了していないため、ＣＰＵ１４は、全てのコンテンツが終了していないと判断する（ステップＳ７；ＮＯ）。次いで、ＣＰＵ１４は、再生したコンテンツＡのリンク先情報が有るか判断する（ステップＳ８）。
【００４４】
このとき、コンテンツＡにはリンク先情報が有るため（ステップＳ８；ＹＥＳ）、ＣＰＵ１４は、リンク先であるコンテンツＣが、再生履歴に含まれているか否かを判断する（ステップＳ９）。
【００４５】
このとき、コンテンツＣは、未だ再生されておらず再生履歴に含まれていないため、ＣＰＵ１４は、リンク先のコンテンツＣが、再生履歴に含まれていないと判断し（ステップＳ９；ＮＯ）、ＣＰＵ１４は、リンク先のコンテンツＣを選択する（ステップＳ１０）。次いで、ＣＰＵ１４は、選択されたコンテンツＣについて、上述のステップＳ５、ステップＳ６の処理を行い、ステップＳ７の判断を行う。
【００４６】
このとき、ＤＶＤメディアＤＫにおいて、コンテンツＢ、Ｄが終了していないため、ＣＰＵ１４は、全てのコンテンツが終了していないと判断する（ステップＳ７；ＮＯ）。次いで、ＣＰＵ１４は、再生したコンテンツＣのリンク先情報が有るか判断する（ステップＳ８）。
【００４７】
このとき、コンテンツＣにはリンク先情報が有るため（ステップＳ８；ＹＥＳ）、ＣＰＵ１４は、リンク先であるコンテンツＡが、再生履歴に含まれているか否かを判断する（ステップＳ９）。
【００４８】
このとき、コンテンツＡは、既に再生されており再生履歴に含まれているため、ＣＰＵ１４は、リンク先のコンテンツＡが、再生履歴に含まれていると判断し（ステップＳ９；ＹＥＳ）、ＣＰＵ１４は、既に再生されたコンテンツＡの再生を禁止し、未再生のコンテンツＢ、Ｄのうち優先順位の高いものを検索し（ステップＳ１１）、検索されたコンテンツＢを選択する（ステップＳ１２）。次いで、ＣＰＵ１４は、選択されたコンテンツＢについて、上述のステップＳ５、ステップＳ６の処理を行い、ステップＳ７の判断を行う。
【００４９】
このとき、ＤＶＤメディアＤＫにおいて、コンテンツＤが終了していないため、ＣＰＵ１４は、全てのコンテンツが終了していないと判断する（ステップＳ７；ＮＯ）。次いで、ＣＰＵ１４は、再生したコンテンツＢのリンク先情報が有るか判断する（ステップＳ８）。
【００５０】
このとき、コンテンツＢにはリンク先情報がないため（ステップＳ８；ＮＯ）、ＣＰＵ１４は、ＣＰＵ１４は、未再生のコンテンツＤのうち優先順位の高いものを検索し（ステップＳ１１）、ここでは、未再生のコンテンツがコンテンツＤのみであるので、検索されたコンテンツＤを選択する（ステップＳ１２）。次いで、ＣＰＵ１４は、指定されたコンテンツＤについて、上述のステップＳ５、ステップＳ６の処理を行い、ステップＳ７の判断を行う。
【００５１】
このとき、全てのコンテンツＡ−Ｄが終了しているため、ＣＰＵ１４は、全てのコンテンツが終了していると判断し（ステップＳ７；ＹＥＳ）、本動作を終了させる。
【００５２】
一方、上述のステップＳ２において、使用者が、操作部１５を用いて未再生情報再生機能を選択しないと、ＣＰＵ１４は、未再生情報再生機能が選択されない旨を認識し（ステップＳ２；ＮＯ）、ＤＶＤメディアＤＫの各コンテンツを予め定められた順序で再生させて（ステップＳ１３）、本動作を終了させる。
【００５３】
次いで、以下に、上記実施形態の変形形態について説明する。
【００５４】
操作部１５は、使用者が未再生情報再生機能を選択するための機能を有さなくてもよい。ＤＶＤ再生装置の操作部１５がこの機能を有さない場合には、ＤＶＤ再生装置にＤＶＤメディアＤＫが設置されたときに（ステップＳ１）、ＣＰＵ１４は、ステップＳ２の判断を省略して、使用者にコンテンツの優先順位を設定させ（ステップＳ３）、一番目のコンテンツＡを選択し（ステップＳ４）、以下、同様の処理を行う（ステップＳ５〜ステップＳ１２）。
【００５５】
また、操作部１５は、未再生情報再生機能を選択してＤＶＤメディアＤＫを再生している間、または、同様に再生した後に、未再生情報再生機能の選択を解除できるようになっていてもよい。未再生情報再生機能の選択が解除された場合には、すぐに予め定められた順序で再生するようになっていてもよいし（ステップＳ１３）、その回の全てのコンテンツ再生が終了してから（ステップＳ７；ＹＥＳ）、予め定められた順序で再生するようになっていてもよい（ステップＳ１３）。
【００５６】
さらに、操作部１５は、使用者にコンテンツの優先順位を設定させるために用いなくてもよい。この場合には、図３に示す動作において、ステップＳ３の処理が省略される。また、ステップＳ３の処理が省略されることにともない、ステップＳ１１の処理において、優先順位が高いコンテンツでなく、ＤＶＤメディアＤＫに記録された再生順序情報に含まれる優先度が高いコンテンツを検索する。
【００５７】
図３に示す動作においては、ＤＶＤメディアＤＫを一度再生し終えたときに、動作を終了したが、ＤＶＤメディアＤＫの再生を繰り返す設定にしてもよい。この設定にした場合には、ＤＶＤメディアＤＫを一度再生し終えたときに（ステップＳ７；ＹＥＳ）、ＣＰＵ１４は、記憶部から再生履歴を消去して、ステップＳ２の判断を行い、または、ステップＳ３、ステップＳ４の処理を行い、以下、同様の処理を行う（ステップＳ５〜ステップＳ１２）。また、ＤＶＤメディアＤＫをＤＶＤ再生装置から取り出したときも、メモリ１７から再生履歴を消去する。また、使用者により操作部１５を用いて繰り返す設定を選択できるようにしてもよい。
【００５８】
また、未再生情報再生機能により、上述のようにコンテンツＡの再生が禁止された場合に、ＣＰＵ１４は、コンテンツＡの再生が禁止された旨をディスプレイ１６に表示して使用者に告知するように処理してもよい。さらに、同様の場合に、ＣＰＵ１４は、本願の告知手段として、図示しないスピーカ装置を用い、音声によりコンテンツＡの再生を禁止した旨を使用者に告知するように処理してもよい。
【００５９】
また、使用者が先に再生したい情報について操作部１５を用いて選択し、ＣＰＵ１４は、当該使用者が選択した情報を先に再生するとともに、その他の情報を上記再生順序情報に従って再生するように処理してもよい。
【００６０】
さらに、本実施形態のＤＶＤ再生装置Ｐを用いることにより、ＤＶＤメディアを再生すると、各コンテンツが終了する度に使用者が再生する情報を選択するためのメニュー画面が表示（再生）される場合に、当該メニュー画面を再度再生することを禁止して、ＤＶＤメディアＤＫに記録された他のコンテンツのみを順次再生させることができる。
【００６１】
なお、以上の実施形態は、情報再生装置としてＤＶＤ再生装置Ｐを対象に説明したが、これに限定されず、例えば、ＤＶＤメディアＤＫの記録も可能であるＤＶＤ記録再生装置を用いてもよい。また、ＤＶＤドライブを備えたパーソナルコンピュータ、ＤＶＤ＆ＨＤＤ（hard disc drive）再生装置等を用いてもよい。また、記録媒体としてＤＶＤメディアＤＫを対象に説明したが、これに限定されず、例えば、ＣＤ（compact disc）メディア、ＭＤ（mini disc）メディア、ハードディスクメディア等であってもよく、種々の記録媒体に用いることができる。
【００６２】
ＤＶＤメディアＤＫに記録されている情報は、特に限定されず、例えば、音声情報、画像情報、自動車等に用いられる行き先の案内情報等であってもよい。そのため、復号部１３から情報が出力される他の装置は、上記実施形態にて説明したディスプレイ装置に限定されず、出力される情報に応じて、スピーカ装置、車載用ナビゲーション装置等であってもよい。
【００６３】
ＤＶＤメディアＤＫのデータ構造は、図２（ａ）に示されるものに限定されず、例えば、管理情報領域２２に、各コンテンツからのリンク先の情報が含まれていてもよい。この場合には、ＣＰＵ１４が管理情報領域２２から管理情報を読み込んだときに、ＤＶＤメディアＤＫに記録されている各コンテンツの再生順序を決定し、ＣＰＵ１４は、その順序に従って各コンテンツを再生するように制御してもよい。
【００６４】
ＤＶＤ再生装置ＰのＣＰＵ１４が情報の再生を禁止することについては、再生を禁止する情報に係る増幅信号Ｓampを復号しないことにより、再生を禁止する態様について説明したが、再生を禁止するための制御は、この動作に限定されない。例えば、ＣＰＵ１４が、ピックアップ１１において、再生を禁止する情報が記録されたデータ領域に光ビームＢｍを照射しないように制御してもよいし、再生を禁止する情報に対応する検出信号Ｓppを増幅部１２へ出力しないよう制御してもよい。また、ＣＰＵ１４が、増幅部１２において、再生を禁止する情報に対応する検出信号Ｓppを増幅処理しないように制御してもよいし、再生を禁止する情報に対応する増幅された増幅信号Ｓampを復号部１３へ出力しないように制御してもよい。さらに、ＣＰＵ１４が、復号部１３において、増幅信号Ｓampに対して復号処理を施して画像情報Ｓpとした後に、ディスプレイ装置に出力しないように制御してもよい。
【００６５】
さらに、図３に示すフローチャートに対応するプログラムをフレキシブルディスク又はハードディスク等の情報記録媒体に記録しておき、或いはインターネット等のネットワークを介して取得して記録しておき、これをマイクロコンピュータ等により読み出して実行することにより、当該マイクロコンピュータを各実施形態に係るＣＰＵ１４として機能させることも可能である。
【００６６】
以上説明したように、本実施形態のＤＶＤ再生装置Ｐは、ＤＶＤメディアＤＫに記録された複数の情報（コンテンツ）を再生するＤＶＤ再生装置Ｐであって、既に再生された情報の再生を禁止するとともに、未再生の情報を選択して再生する未再生情報再生手段としてのＣＰＵ１４を備えることを特徴とする。
【００６７】
よって、ＤＶＤ再生装置Ｐが自動的に再生済みの情報と同じ情報の再生を禁止して未再生の情報を再生するので、ＤＶＤ再生装置Ｐの使用者が同じ情報を何度も鑑賞することがない。そのため、従来のＤＶＤ再生装置Ｐの使用者が、再生の度に再度再生される情報をとばして次の情報を再生する操作が省略されるため、ＤＶＤメディアＤＫに記録された情報を再生する際の使用者の煩わしさが軽減される。
【００６８】
また、上記本実施形態のＤＶＤ再生装置Ｐにおいて、未再生情報再生手段としてのＣＰＵ１４を機能させることを選択するために用いられる操作部１５を備えたことを特徴とする。
【００６９】
よって、ＤＶＤメディアＤＫに記録されている情報によって、どのように再生するかを使用者が選択することができる。例えば、物語性が強く、内容を省略すると流れが悪くなる情報が記録されたＤＶＤメディアＤＫについては、未再生情報再生手段を選択しないことにより、当該ＤＶＤメディアＤＫの作製者が意図したとおりに再生することができる。一方、その他の一度内容を見聞きすれば十分である情報が記録されたＤＶＤメディアＤＫについては、未再生情報再生手段を選択することにより、上述のように一度再生した情報を省略して未再生の情報を再生することができる。
【００７０】
また、上記本実施形態のＤＶＤ再生装置Ｐにおいて、ＤＶＤメディアＤＫには各情報を再生する順序を示す再生順序情報が記録されており、再生された情報について再生された旨を再生履歴として記憶するメモリ１７をさらに備え、未再生情報再生手段としてのＣＰＵ１４は、再生順序情報に基づいて次に再生しようとする情報が既に再生された旨が再生履歴として記憶されている場合には当該情報の再生を禁止するとともに、未再生の情報から再生順序情報に従って選択される情報を再生することを特徴とする。
【００７１】
よって、ＤＶＤメディアＤＫの再生順序を維持しつつ、使用者にとって無駄である同じ情報の複数回の再生が防止されるとともに、これらの動作が自動的に行われる。そのため、従来のＤＶＤ再生装置の使用者が、再生の度に、再度再生される情報をとばして次の情報を再生する操作が省略されるため、ＤＶＤメディアＤＫに記録された情報を再生する際の使用者の煩わしさが軽減される。
【００７２】
また、上記本実施形態のＤＶＤ再生装置Ｐにおいて、操作部１５は、さらに、情報の優先順位を設定させるために用いられ、未再生情報再生手段としてのＣＰＵ１４は、既に再生された情報の再生を禁止した後、優先順位に従って未再生の情報を選択して再生することを特徴とする。
【００７３】
よって、ＤＶＤ再生装置Ｐの使用者が、再生したい情報の優先順位を設定することができ、ＤＶＤ再生装置Ｐは、既に再生された情報の再生を禁止した後、使用者が設定した優先順位に従って未再生の情報を選択して再生することができる。そのため、ＤＶＤ再生装置Ｐは、重複した情報の再生を防止しつつ、使用者の好みに合わせて未再生の情報を再生することができ、使用者の利便性に優れたものとなる。
【００７４】
また、上記本実施形態のＤＶＤ再生装置Ｐにおいて、未再生情報再生機能により情報の再生が禁止された場合に、情報の再生が禁止されたことを告知するディスプレイ１６を備えたことを特徴とする。
【００７５】
よって、再生が禁止された情報について、再生を禁止した旨が告知されるため、使用者がどの情報の再生が禁止されたか認識することができ、ＤＶＤ再生装置Ｐは、使用者の利便性に優れたものとなる。
【図面の簡単な説明】
【００７６】
【図１】本願に係る実施形態のＤＶＤ再生装置の概要構成を示すブロック図である。
【図２】本願に係る実施形態のＤＶＤ再生装置において再生するＤＶＤメディアのデータ構造を示す図である。
【図３】本願に係る実施形態のＤＶＤ再生装置における再生処理の動作を示すフローチャートである。
【符号の説明】
【００７７】
１０    スピンドルモータ
１１    ピックアップ
１２    増幅部
１３    復号部
１４    ＣＰＵ
１５    操作部
１６    ディスプレイ
１７    記憶部
２１    リードイン領域
２２    管理情報領域
２３、２４、２５、２６    各コンテンツの情報領域
２３１    リンク先情報領域
２３２    コンテンツＡ情報領域
２７    リードアウト領域
Ｐ      ＤＶＤ再生装置
ＤＫ    ＤＶＤメディア
Ｂｍ    光ビーム
【図１】
2007226850.tif 000003
【図２】
2007226850.tif 000004
【図３】
2007226850.tif 000005